(57)【要約】【課題】ユーザーが容易に所望の音量で音楽を聴取可能とすること。【解決手段】音楽再生装置１は、可変抵抗ＶＲ１を有するロータリースイッチＳＷ１付ポテンショメータ４と、ロータリースイッチＳＷ１付ポテンショメータ４を操作するためのツマミと、マイクロコンピュータ２と、を備える。マイクロコンピュータ２は、可変抵抗ＶＲ１に所定電位を与えた場合の、可変抵抗ＶＲ１による分圧値に従った出力音量設定テーブルを複数記憶している。また、マイクロコンピュータ２は、可変抵抗ＶＲ１に所定電位を与えた場合の、可変抵抗ＶＲ１による分圧値を記憶する。また、マイクロコンピュータ２は、複数の出力音量設定テーブルのうち、記憶した分圧値が、ツマミのセンター位置での分圧値となる出力音量設定テーブルを選択する。また、マイクロコンピュータ２は、選択した出力音量設定テーブルに従って、出力音量を制御する。【選択図】図１
2019153862.tif 000002
【特許請求の範囲】
【請求項１】
可変抵抗を有するロータリースイッチ付ポテンショメータと、
前記ロータリースイッチ付ポテンショメータを操作するためのツマミと、
制御部と、を備え、
前記制御部は、
前記可変抵抗に所定電位を与えた場合の、前記可変抵抗による分圧値に従った出力音量設定テーブルを複数記憶し、
前記可変抵抗に所定電位を与えた場合の、前記可変抵抗による分圧値を記憶し、
複数の前記出力音量設定テーブルのうち、記憶した分圧値が、前記ツマミのセンター位置での分圧値となる前記出力音量設定テーブルを選択し、
選択した出力音量設定テーブルに従って、出力音量を制御することを特徴とする音量調整装置。
【請求項２】
スイッチをさらに備え、
前記制御部は、前記スイッチの操作を受け付けた場合、前記可変抵抗に所定電位を与えた場合の、前記可変抵抗による分圧値を記憶することを特徴とする請求項１に記載の音量調整装置。
【発明の詳細な説明】
【技術分野】
【０００１】
本発明は、ロータリースイッチ付ポテンショメータを有する音量調整装置に関する。
【背景技術】
【０００２】
ポータブルヘッドホンアンプのような電子機器において、ツマミとなる部分に、ロータリースイッチ付のポテンショメータが使用されている場合がある。その他、例えば、テレビに接続され、ユーザーの手元に置いて使用される手元スピーカーにも、ロータリースイッチ付のポテンショメータが使用されている。この場合、電子機器の電源のオン／オフと、可変抵抗の分圧による音量等の調整と、がツマミにより同時に実現される。ユーザーは、電源をオフするとき、ロータリースイッチをオフするために、ツマミをいっぱいに回すこととなり、電源をオフする前の調整状態は、必然的に維持されない。このため、ユーザーは、電源をオンするたびに、調整をやり直すことになる。
【０００３】
ツマミの回転による調整を行う場合の調整方法として、例えば、音量等の調整にマイクロコンピュータが介在し、信号量の調整回路をマイクロコンピュータが制御する場合等においては、調整数値化された調整量を表示装置（例えば、ＬＣＤ、ＯＬＥＤ、ＶＦＤ）に表示する。ユーザーは、それを確認しながら、調整すればよい。しかしながら、上記のような、ポテンショメータが使用される場合、信号量調整回路が、ポテンショメータの可変抵抗における分圧のみで成り立っていれば、マイクロコンピュータは、信号量の調整に介在する必要がなく、表示装置のない製品仕様となる。
【０００４】
また、表示装置のないような製品仕様の場合でも、ツマミの周囲に目盛を付け、ユーザーは、それを目安にツマミを合わせるという場合が考えられる。しかしながら、製品の形状による制約、デザイン性により、ツマミの周囲に目盛のない場合もある。そのような場合、ユーザーの調整方法としては、ツマミの角度をおおよその位置に視覚的に合わせるか、又は、調整による実際の出力を確認しながら合わせることになる。
【０００５】
そのような場合、もしユーザーがいつも所望の調整位置に設定したいと考える場合でも、上記のような操作による調整は、調整するたびに誤差の発生が予想される。また、ポテンショメータの抵抗特性カーブによっては、少しの回転で音量が大きく変わる角度位置もあり、さらに調整の再現性が難しくなる。
【０００６】
なお、特許文献１には、可変抵抗を用いて回転角度を検出し、検出した回転角度を記憶する技術が開示されている。
【先行技術文献】
【特許文献】
【０００７】
【特許文献１】特開平５−２８３９５７号公報
【発明の概要】
【発明が解決しようとする課題】
【０００８】
上述のように、ユーザーは、所望の位置に可変抵抗を位置させ、所望の音量で音楽を聴取することが難しいという問題がある。
【０００９】
本発明の目的は、ユーザーが容易に所望の音量で音楽を聴取可能とすることである。
【課題を解決するための手段】
【００１０】
第１の発明の音量調整装置は、可変抵抗を有するロータリースイッチ付ポテンショメータと、前記ロータリースイッチ付ポテンショメータを操作するためのツマミと、制御部と、を備え、前記制御部は、前記可変抵抗に所定電位を与えた場合の、前記可変抵抗による分圧値に従った出力音量設定テーブルを複数記憶し、前記可変抵抗に所定電位を与えた場合の、前記可変抵抗による分圧値を記憶し、複数の前記出力音量設定テーブルのうち、記憶した分圧値が、前記ツマミのセンター位置での分圧値となる前記出力音量設定テーブルを選択し、選択した前記出力音量設定テーブルに従って、出力音量を制御することを特徴とする。
【００１１】
本発明では、制御部は、可変抵抗に所定電位を与えた場合の、可変抵抗による分圧値を記憶する。また、制御部は、複数の出力音量設定テーブルのうち、記憶した分圧値が、ツマミのセンター位置での分圧値となる出力音量設定テーブルを選択する。また、制御部は、選択した出力音量設定テーブルに従って、出力音量を制御する。このため、ユーザーは、ツマミをセンター位置に位置させれば、所望の音量で音楽を聴取することができる。このように、ツマミ調整のターゲット位置をセンター位置にすることで、ユーザーは、ツマミのセンター位置（１２時の位置）に、目盛がなくても視覚的に合わせやすいというメリットがある。また、ロータリースイッチ付ポテンショメータにセンタークリック品を用いれば、ユーザーは、感触的にも調整しやすくなる。また、所望の音量位置に対して、多少の音量調整を図りたい場合にも対応可能となる。また、ＬＥＤ等の表示、効果音等も不要である。
【００１２】
このように、本発明によれば、ユーザーは、容易に所望の音量で音楽を聴取することができる。
【００１３】
第２の発明の音量調整装置は、第１の発明の音量調整装置において、スイッチをさらに備え、前記制御部は、前記スイッチの操作を受け付けた場合、前記可変抵抗に所定電位を与えた場合の、前記可変抵抗による分圧値を記憶することを特徴とする。
【発明の効果】
【００１４】
ユーザーは、容易に所望の音量で音楽を聴取することができる。
【図面の簡単な説明】
【００１５】
【図１】本発明の実施形態に係る音楽再生装置の構成を示す図である。
【図２】ツマミ回転位置に対する可変抵抗分圧比率を示すグラフである。
【図３】ツマミ回転位置に対する可変抵抗分圧比率を示す表である。
【図４】ツマミ回転位置に対する可変抵抗分圧比率を示すグラフである。
【発明を実施するための形態】
【００１６】
以下、本発明の実施形態について説明する。図１は、本発明の実施形態に係る音楽再生装置の構成を示す図である。音楽再生装置１（音量調整装置）は、音声信号に基づいて、音楽を再生する。音楽再生装置１は、マイクロコンピュータ２と、ＤＳＰ（Digital Signal Processor）３と、ロータリースイッチ付一軸一連ポテンショメータ（以下、単に「ポテンショメータ」という。）４と、スイッチＳＷ２と、を備える。
【００１７】
マイクロコンピュータ２（制御部）は、ＣＰＵ（Central Processing Unit）、ＲＯＭ（Read Only Memory）、ＲＡＭ（Random Access Memory）、入出力インターフェース等のハードウェアから構成されている。マイクロコンピュータ２は、音楽再生装置１を構成する各部を制御する。ＤＳＰ３は、デジタル音声信号にイコライジング等の信号処理を行う。また、ＤＳＰ３は、音声信号の音量を調整する。なお、本実施形態では、ＤＳＰ３が、音声信号の音量を調整するようになっているが、Ｄ／Ａコンバータ（ＤＡＣ）、増幅回路が音量調整するようになっていてもよい。
【００１８】
ポテンショメータ４は、可変抵抗ＶＲ１、ロータリースイッチＳＷ１を有する。可変抵抗ＶＲ１は、ユーザー操作により、抵抗値が変化する。可変抵抗ＶＲ１の一端は、所定電位の電圧を供給する電源ＶＣＣに接続されている。可変抵抗ＶＲ１の他端は、グラウンドＧＮＤに接続されている。可変抵抗ＶＲ１は、電源ＶＣＣからの電圧を分圧する。可変抵抗ＶＲ１による分圧値は、マイクロコンピュータ２のＡ／ＤポートＡＤＣ１に出力される。ロータリースイッチＳＷ１の一端は、マイクロコンピュータ２の入力ポートＩＮ１に接続されている。ロータリースイッチＳＷ１の他端は、グラウンドＧＮＤに接続されている。図示しないが、音楽再生装置１は、ポテンショメータ４を操作するためのツマミをさらに備える。
【００１９】
詳細は後述するが、音量調整モードとして、通常モードとメモリーモードとが存在する。通常モードでは、マイクロコンピュータ２は、Ａ／ＤポートＡＤＣ１のＡ／Ｄ変換値を読み取る。ここで、マイクロコンピュータ２は、Ａ／Ｄ変換値に従った出力音量設定テーブル（図２〜図４参照。）を記憶しており、出力音量設定テーブルに基づいて、Ａ／Ｄ変換値に対応する音量をＤＳＰ３に設定する。ＤＳＰ３は、マイクロコンピュータ２により設定された音量に基づいて、音量を調整する。なお、初期設定は、通常モードであり、ユーザーは、ツマミを介して、ポテンショメータ４を操作することで、音量を調整する。マイクロコンピュータ２は、図２の実線（通常）の出力音量設定テーブルを用いて、音量をＤＳＰ３に設定する。
【００２０】
スイッチＳＷ２は、音量調整モード（通常モード／メモリーモード）を切り替えるためのスイッチである。スイッチＳＷ２がオフの状態では、通常モードである。また、スイッチＳＷ２がオンになると、メモリーモードとなる。メモリーモードは、スイッチＳＷ２がオンとなったときの可変抵抗ＶＲ１の位置（Ａ／ＤポートＡＤＣ１のＡ／Ｄ変換値）を記憶し、記憶した位置（Ａ／Ｄ変換値）がツマミの中点となるように、制御するモードである。言い換えれば、スイッチＳＷ２は、可変抵抗ＶＲ１の位置を記憶するためのスイッチである。スイッチＳＷ２の一端は、マイクロコンピュータ２の入力ポートＩＮ２に接続されている。スイッチＳＷ２の他端は、グラウンドＧＮＤに接続されている。なお、スイッチＳＷ２は、タクトスイッチ、スライドスイッチ、トグルスイッチ等であればよい。なお、ロータリースイッチＳＷ１、スイッチＳＷ２において、ロー／ハイの極性が特定できればよいため、ロータリースイッチＳＷ１、スイッチＳＷ２の他端は、必ずしもグランドＧＮＤに接続される必要はない。
【００２１】
マイクロコンピュータ２は、スイッチＳＷ２のオン操作を受け付けると、可変抵抗ＶＲ１の位置を記憶するため、Ａ／ＤポートＡＤＣ１のＡ／Ｄ変換値を読み取り、読み取ったＡ／Ｄ変換値を記憶する。従って、ユーザーは、スイッチＳＷ２をオンとすることで、所望の音量を音楽再生装置１に設定することができる。そして、マイクロコンピュータ２は、メモリーモードにおいて、ツマミ（ポテンショメータ）が機械的中点である場合に、記憶した音量（Ａ／Ｄ変換値）となるように、ＤＳＰ３に音量設定をする。
【００２２】
例えば、Ｂ特性のポテンショメータ４が用いられる場合、通常モードにおいては、図２に示すグラフにおける実線が、ツマミ回転位置と可変抵抗ＶＲ１の抵抗分圧比率となる。メモリーモードでは、実線で示す通常モードよりも、傾きの小さい可変抵抗ＶＲ１に対する仮想の分圧値（出力音量設定テーブル）を設定する。なお、図３は、図２における通常モード、パターン１〜５の値を示す表である。
【００２３】
例えば、通常モードにおいて、可変抵抗ＶＲ１の分圧比率が０．３のツマミの位置の音量で、ユーザーが、スイッチＳＷ２を押した場合、ツマミ回転位置が機械的中点となる位置において、可変抵抗ＶＲ１の分圧比率が０．３となる図４に示す実線（パターン２）を、仮想のツマミ回転位置対可変抵抗ＶＲ１分圧特性比率と考える。実際のツマミ回転位置対可変抵抗分圧比率の関係は、実線（通常）に変わりない。このため、実際の処理としては、マイクロコンピュータ２は、実線（通常）に従って、ツマミの回転位置を検出し、回転位置に対応する、実線（パターン２）における可変抵抗ＶＲ１分圧比率値がＡ／Ｄ変換されたとみなし、みなしのＡ／Ｄ変換値に対応した、出力音量設定テーブルによる音量出力に調整する。
【００２４】
すなわち、マイクロコンピュータ２は、可変抵抗ＶＲ１に所定電位を与えた場合の、可変抵抗ＶＲ１による分圧値に従った出力音量設定テーブルを複数記憶している（通常、パターン１〜５）。マイクロコンピュータ２は、通常モードにおいて、スイッチＳＷ２のオン操作を受け付けた場合、可変抵抗ＶＲ１に所定電位を与えた場合の、可変抵抗ＶＲ１による分圧値を記憶する。次に、マイクロコンピュータ２は、複数の出力音量設定テーブルのうち、記憶した分圧値が、ツマミのセンター位置での分圧値となる出力音量設定テーブルを選択する。次に、マイクロコンピュータ２は、選択した出力音量テーブルに従って、出力音量を制御する。
【００２５】
以上説明したように、本実施形態では、マイクロコンピュータ２は、可変抵抗ＶＲ１に所定電位を与えた場合の、可変抵抗ＶＲ１による分圧値を記憶する。また、マイクロコンピュータ２は、複数の出力音量設定テーブルのうち、記憶した分圧値が、ツマミのセンター位置での分圧値となる出力音量設定テーブルを選択する。また、マイクロコンピュータ２は、選択した出力音量設定テーブルに従って、出力音量を制御する。このため、ユーザーは、ツマミをセンター位置に位置させれば、所望の音量で音楽を聴取することができる。このように、ツマミ調整のターゲット位置をセンター位置にすることで、ユーザーは、ツマミのセンター位置（１２時の位置）に、目盛がなくても視覚的に合わせやすいというメリットがある。また、ロータリースイッチ付ポテンショメータにセンタークリック品を用いれば、ユーザーは、感触的にも調整しやすくなる。また、所望の音量位置に対して、多少の音量調整を図りたい場合にも対応可能となる。また、ＬＥＤ等の表示、効果音等も不要である。
【００２６】
このように、本実施形態によれば、ユーザーは、容易に所望の音量で音楽を聴取することができる
【００２７】
また、本実施形態では、マイクロコンピュータ２は、スイッチＳＷ２の操作を受け付けた場合、可変抵抗ＶＲ１に所定電位を与えた場合の、可変抵抗ＶＲ１による分圧値を記憶する。これにより、ユーザーは、スイッチＳＷ２を操作することで、所望の音量となる位置をツマミのセンター位置に設定することができる。
【００２８】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２９】
本発明は、ロータリースイッチ付ポテンショメータを有する電子機器に好適に採用され得る。
【符号の説明】
【００３０】
１  音楽再生装置（音量調整装置）
２  マイクロコンピュータ（制御部）
３  ＤＳＰ
４  ポテンショメータ
ＳＷ１  ロータリースイッチ
ＳＷ２  スイッチ
ＶＲ１  可変抵抗
【図１】
2019153862.tif 000003
【図２】
2019153862.tif 000004
【図３】
2019153862.tif 000005
【図４】
2019153862.tif 000006